(57)【要約】【課題】配線基板の接続パッドと外部電気回路とを接続する低融点ロウ材に破断が発生し、半導体素子の外部電気回路への接続信頼性が低下する。【解決手段】電気絶縁材料から成り、表面に半導体素子搭載部１ａを有する絶縁基体１と、該絶縁基体１の下面に形成された多数の接続パッド６と、前記絶縁基体１の前記搭載部１ａから前記接続パッド６にかけて導出される複数個の配線導体２とから成る配線基板であって、前記各接続パッド６の外縁に沿った前記絶縁基体１の下面に環状の凹部６ａが形成されているとともに、該凹部６ａの少なくとも内周側面に前記接続パッド６が延出されている。【選択図】図１
2004022841.tif 000002
【特許請求の範囲】
【請求項１】
電気絶縁材料から成り、表面に半導体素子搭載部を有する絶縁基体と、該絶縁基体の下面に形成された多数の接続パッドと、前記絶縁基体の前記搭載部から前記接続パッドにかけて導出される複数個の配線導体とから成る配線基板であって、前記各接続パッドの外縁に沿った前記絶縁基体の下面に環状の凹部が形成されているとともに、該凹部の少なくとも内周側面に前記接続パッドが延出されていることを特徴とする配線基板。
【発明の詳細な説明】
【０００１】
【発明の属する技術分野】
本発明は半導体素子が搭載収容される半導体素子収納用パッケージ等に用いられる配線基板に関するものである。
【０００２】
【従来の技術】
従来、半導体素子が搭載される配線基板は、例えば酸化アルミニウム質焼結体やガラスセラミック焼結体等の電気絶縁材料から成り、その表面に半導体素子が搭載される搭載部を有する絶縁基体と、絶縁基体の半導体素子搭載部またはその周辺から下面にかけて導出される、例えばタングステンやモリブデン等の高融点金属粉末から成る複数個の配線導体と、絶縁基体の下面に形成され、前記配線導体と電気的に接続された複数個の接続パッドとから構成されており、絶縁基体の搭載部に半導体素子をガラス、樹脂、ロウ材等から成る接着材を介して接着固定させるとともに半導体素子の各電極と配線導体とをボンディングワイヤ等の電気的接続手段を介して電気的に接続し、しかる後、必要に応じて前記半導体素子を蓋体や封止樹脂で気密封止させることによって半導体装置となる。
【０００３】
かかる半導体装置は、外部電気回路基板上に、該外部電気回路基板の回路配線と絶縁基体下面の接続パッドとが、間に錫−鉛半田等の低融点ロウ材を挟んで対向するよう載置させ、しかる後、前記低融点ロウ材を約２００℃〜３００℃の温度で過熱溶融させ、外部電気回路基板の回路配線と絶縁基体下面の接続パッドとを接合させることにより外部電気回路基板に実装され、同時に配線基板に搭載されている半導体素子の各電極が配線導体および低融点ロウ材を介して外部電気回路基板に電気的に接続されることとなる。
【０００４】
【発明が解決しようとする課題】
しかしながら、上記従来の半導体素子が搭載される配線基板は絶縁基体が酸化アルミニウム質焼結体等のセラミックス材料で形成されており、その熱膨張係数が約４×１０−６／℃〜１０×１０−６／℃であるのに対し、外部電気回路基板は一般にガラスエポキシ樹脂等の樹脂材で形成されており、その熱膨張係数が３０×１０−６／℃〜５０×１０−６／℃であり、大きく相違することから、外部電気回路基板上に半導体装置を実装した後、半導体素子の作動時に発する熱が配線基板の絶縁基体と外部電気回路基板に繰り返し作用すると、両者間に両者の熱膨張係数の差に起因して水平方向に大きな熱応力が繰り返し生じ、この熱応力の繰り返しによって接続パッドと外部電気回路基板とを接合する錫−鉛半田等の低融点ロウ材の接続パッドとの界面付近の端部から亀裂が生じるとともにこれが前記界面に沿って進行し、最終的には低融点ロウ材に破断が発生し、半導体素子と外部電気回路との電気的接続が短期間で破れてしまうという問題があった。
【０００５】
特に、低融点ロウ材として、従来の錫−鉛半田に代わり、錫−銀−ビスマス系等の鉛非含有半田が用いられるようになると、このような鉛非含有半田は、ビスマス等の成分の偏析等により接続パッドに対する接合強度が低くなりやすいため、低融点ロウ材の破断の発生がより顕著なものになる。
【０００６】
本発明は、従来の配線基板における上記問題点に鑑み案出されたもので、その目的は、絶縁基体の接続パッドと外部電気回路基板の回路配線とを接合する低融点ロウ材に破断が発生するのを有効に防止し、配線基板に搭載される半導体素子等の各電極を外部電気回路に長期間にわたり確実、強固に電気的接続することができる長期信頼性に優れた配線基板を提供することにある。
【０００７】
【課題を解決するための手段】
本発明の配線基板は、電気絶縁材料から成り、表面に半導体素子搭載部を有する絶縁基体と、該絶縁基体の下面に形成された多数の接続パッドと、前記絶縁基体の前記搭載部から前記接続パッドにかけて導出される複数個の配線導体とから成る配線基板であって、前記各接続パッドの外縁に沿った前記絶縁基体の下面に環状の凹部が形成され、該凹部の少なくとも内周側面に前記接続パッドが延出されていることを特徴とするものである。
【０００８】
本発明の配線基板によれば、接続パッドの外縁に沿った絶縁基体の下面に環状の凹部を形成するとともに、該凹部の少なくとも内周側面に前記接続パッドを延出させたことから、低融点ロウ材と接続パッドとの接合面の端部は熱応力が作用する方向に対してほぼ直角方向となり、半導体素子の作動時に発する熱が配線基板の絶縁基体と外部電気回路基板に繰り返し作用し、両者間に両者の熱膨張係数の差に起因して水平方向に大きな熱応力が繰り返し生じたとしても、低融点ロウ材と接続パッドとの接合面の端部に大きな熱応力が集中的に作用して低融点ロウ材が短期間で破断するようなことはほとんどなく、これによって接続パッドと外部電気回路基板の回路配線とを確実、強固に電気的接続することができるとともに半導体素子の外部電気回路への接続を長期信頼性に優れたものとなすことが可能となる。
【０００９】
【発明の実施の形態】
次に本発明を添付の図面を基にして詳細に説明する。
図１は、本発明の配線基板を使用した半導体素子収納用パッケージの一実施例を示す断面図であり、１は絶縁基体、２は配線導体である。この絶縁基体１と配線導体２とで半導体素子３を搭載する配線基板４が構成される。
【００１０】
前記絶縁基体１は、例えば酸化アルミニウム質焼結体、窒化アルミニウム質焼結体、ムライト質焼結体、炭化珪素質焼結体、ガラスセラミック焼結体等の電気絶縁材料から成り、その上面に半導体素子３が搭載収容される収納部１ａを有し、該収納部１ａ底面には半導体素子３がガラスや樹脂、ロウ材等の接着材を介して接着固定される。
【００１１】
前記絶縁基体１は、例えば酸化アルミニウム質焼結体から成る場合、酸化アルミニウム、酸化珪素、酸化カルシウム、酸化マグネシウム等の原料粉末に適当な有機バインダー、溶剤を添加混合して泥漿状のセラミックスラリーとなすとともに該セラミックスラリーを従来周知のドクターブレード法やカレンダーロール法等のシート成型技術を採用してシート状のセラミックグリーンシート（セラミック生シート）を得、しかる後、前記セラミックグリーンシートを切断加工や打ち抜き加工により適当な形状とするとともにこれを複数枚積層し、最後に前記積層されたセラミックグリーンシートを還元雰囲気中、約１６００℃の温度で焼成することによって製作される。
【００１２】
また前記絶縁基体１は、その収納部１ａ周辺から下面にかけて多数の配線導体２が被着形成されており、該配線導体２の収納部１ａ周辺部位には半導体素子３の各電極がボンディングワイヤ５を介して電気的に接続され、また絶縁基体１下面に導出された部位には配線導体２と電気的に接続する複数の接続パッド６が形成されている。
【００１３】
前記配線導体２および接続パッド６は、半導体素子３の電極を外部電気回路に接続する作用をなし、例えばタングステン、モリブデン、マンガン等の高融点金属粉末から成り、タングステン等の高融点金属粉末に適当な有機バインダーや溶剤を添加混合して得た金属ペーストを絶縁基体１となるセラミックグリーンシートに予め従来周知のスクリーン印刷法により所定パターンに印刷塗布しておくことによって、絶縁基体１の収納部１ａ周辺から下面にかけて被着形成される。
【００１４】
また前記接続パッド６は、配線基板４を外部電気回路基板に実装する外部端子として作用し、低融点ロウ材を介して外部電気回路基板の回路配線に接合され、これにより半導体素子３の電極が外部電気回路基板の回路配線と電気的に接続される。
【００１５】
更に、前記接続パッド６の外縁に沿った絶縁基体１下面には、図２および図３に示すように、環状の凹部６ａが形成され、該凹部６ａの少なくとも内周側面に接続パッド６が延出されている。
【００１６】
前記接続パッド６の外縁に沿った絶縁基体１下面に環状の凹部６ａを形成するとともに、該凹部６ａの少なくとも内周側面に接続パッド６を延出させておくと、低融点ロウ材と接続パッド６との接合面の端部は熱応力が作用する方向に対してほぼ直角方向となり、半導体素子３の作動時に発する熱が配線基板４の絶縁基体１と外部電気回路基板に繰り返し作用し、両者間に両者の熱膨張係数の差に起因して水平方向に大きな熱応力が繰り返し生じたとしても、低融点ロウ材と接続パッド６との接合面の端部に大きな熱応力が集中的に作用して低融点ロウ材が短期間で破断するようなことはほとんどなく、これによって接続パッド６と外部電気回路基板の回路配線とを確実、強固に電気的接続することができるとともに半導体素子３の外部電気回路への接続を長期信頼性に優れたものとなすことが可能となる。
【００１７】
なお、前記環状の凹部６ａは、その深さが２０μｍ未満になると、接続パッド６と低融点ロウ材との接合面の端部を熱応力が作用する方向に対して充分に乖離させることができず低融点ロウ材と接続パッド６との接合の信頼性が低下するおそれがある。従って、前記環状の凹部６ａは、その深さを２０μｍ以上としておくことが好ましい。
【００１８】
また前記凹部６ａは、絶縁基体１と成るセラミックグリーンシートのうち接続パッド６の外縁に相当する部位に対して、環状の金型を押圧する機械的な加工や、レーザー光の照射等によるエッチング加工等の加工を施すことにより形成される。
【００１９】
更に前記凹部６ａ内周側面に接続パッド６を延出させる方法としては、接続パッド６となる金属ペーストを絶縁基体１となるセラミックグリーンシートの表面に印刷する際、使用するスクリーン製版のパターンを接続パッド６のパターンよりも、例えば全周にわたって１０μｍ程度の幅で、大きくしておき、金属ペーストの一部が凹部の内周側面にまで供給されるようにすることによって行われる。
【００２０】
また更に前記凹部６ａの内周側面に延出された接続パッド６の延出部分は、その外周の上下端縁部分を円弧状に面取りしておくと、低融点ロウ材を接合したとき、この外周の上下端縁部分に熱応力が集中し、この部分から低融点ロウ材に亀裂等の機械的な破壊が発生することを効果的に防止することができる。従って、前記環状の凹部６ａの内周側面に延出された接続パッド６の延出部分は、その外周の上下端縁部分を円弧状に面取りしておくことが好ましい。
【００２１】
前記接続パッド６の延出部分は、１０μｍ〜４０μｍの厚みで形成すると、スクリーン印刷法等による形成時の厚み制御を容易とすることができ、また内部応力の増大等を防止し凹部内面に対する被着強度を確保することができる。従って、前記接続パッド６の凹部６ａ内への延出部分は、その厚みを１０μｍ〜４０μｍの範囲とすることが好ましい。
【００２２】
さらに前記接続パッド６の延出部分は、その下端部分が凹部６ａの底面にまで達するようにして形成しておくと、この延出部分の凹部６ａ内面に対する被着の面積と、この延出部分に接合される低融点ロウ材の接合面積とをより一層大きく確保し、接続パッドと絶縁基体との被着強度、および接続パッドと低融点ロウ材との接合強度をより大きくすることができ、配線基板と外部電気回路基板との接続の信頼性をより一層良好とすることができる。従って、前記接続パッド６の延出部分は、その下端部分が凹部６ａの底面にまで達するようにして形成しておくことが好ましい。
【００２３】
前記配線導体２および接続パッド６は、またその露出する領域に、ニッケル、銅、金等の低融点ロウ材に対する濡れ性およびボンディング性に優れた金属からなるめっき層を、例えばニッケルまたは銅を約１μｍ〜１０μｍ、金を０．０５μｍ〜５μｍの厚さで順次、被着させておくと、配線導体２および接続パッド６の酸化腐食を効果的に防ぐことができるとともに、接続パッド６に対し低融点ロウ材やボンディングワイヤ５を強固に接合、接続させることができる。従って、前記配線導体２および接続パッド６はその表面にニッケル、銅、金等のめっき層を約１μｍ〜１５μｍの厚さで被着させておくことが好ましい。
【００２４】
かくして本発明の配線基板によれば、絶縁基体１の収納部１ａ底面に半導体素子３をガラスや樹脂、ロウ材等の接着剤を介して接着固定するとともにこの半導体素子３の各電極を配線導体２にボンディングワイヤ５を介して電気的に接続し、しかる後、絶縁基体１の上面に金属やセラミックスから成る蓋体７をガラスや樹脂、ロウ材等の封止材を介して接合させ、絶縁基体１と蓋体７とから成る容器内部に半導体素子３を気密に収容することによって製品としての半導体装置が完成する。
【００２５】
なお、本発明の配線基板は上述の実施の形態に限定されるものではなく、本発明の要旨を逸脱しない範囲であれば種々の変更は可能であり、例えば、上記の実施例では本発明の配線基板を半導体素子収納用パッケージに用いた例について説明したが、これを混成集積回路基板等に用いてもよい。
【００２６】
【発明の効果】
本発明の配線基板によれば、接続パッドの外縁に沿った絶縁基体の下面に環状の凹部を形成するとともに、該凹部の少なくとも内周側面に前記接続パッドを延出させたことから、低融点ロウ材と接続パッドとの接合面の端部は熱応力が作用する方向に対してほぼ直角方向となり、半導体素子の作動時に発する熱が配線基板の絶縁基体と外部電気回路基板に繰り返し作用し、両者間に両者の熱膨張係数の差に起因して水平方向に大きな熱応力が繰り返し生じたとしても、低融点ロウ材と接続パッドとの接合面の端部に大きな熱応力が集中的に作用して低融点ロウ材が短期間で破断するようなことはほとんどなく、これによって接続パッドと外部電気回路基板の回路配線とを確実、強固に電気的接続することができるとともに半導体素子の外部電気回路への接続を長期信頼性に優れたものとなすことが可能となる。
【図面の簡単な説明】
【図１】本発明の配線基板の一実施例を示す断面図である。
【図２】図１に示す配線基板の要部拡大断面図である。
【図３】図１に示す配線基板の要部拡大平面図である。
【符号の説明】
１・・・・絶縁基体
１ａ・・・収納部
２・・・・配線導体
３・・・・半導体素子
４・・・・配線基板
５・・・・ボンディングワイヤ
６・・・・接続パッド
６ａ・・・環状の凹部
７・・・・蓋体
【図１】
2004022841.tif 000003
【図２】
2004022841.tif 000004
【図３】
2004022841.tif 000005